(57)【要約】      （修正有）【課題】スプレーボタンに装着されたチューブ内に洗浄剤を充填しても、チューブがスプレーボタンから外れず、より確実にチューブの先端から洗浄剤を噴射可能なチューブ装着式の洗浄スプレーを提供する。【解決手段】洗浄剤を含むスプレー本体、スプレーノズル、スプレーノズルを内蔵するスプレーボタン４及びチューブ６を具備する洗浄スプレーにおいて、スプレーボタンの押圧方向に略垂直な方向に窪んだ凹部４ａを設け、チューブを凹部に装着・脱着可能に装着する。【選択図】図１
0003132780.tif 000002
【実用新案登録請求の範囲】
【請求項１】
洗浄剤と、前記洗浄剤を含むスプレー本体と、スプレーノズルと、前記スプレーノズルを内蔵するスプレーボタンと、チューブと、を具備し、
前記スプレーノズルが、前記スプレーボタンにおいて前記スプレーボタンの押圧方向に略垂直な方向に窪んだ凹部を含み、
前記チューブが、前記凹部に装着・脱着可能に装着されており、
前記スプレーノズル及び前記チューブを経て前記洗浄剤を噴射すること、
を特徴とする洗浄スプレー。
【請求項２】
前記チューブの外径と前記凹部の内径とが略同一であるか、又は前記チューブの外径が前記凹部の内径よりも大きいこと
を特徴とする請求項１に記載の洗浄スプレー。
【請求項３】
前記チューブが低密度ポリエチレンで構成されており、
前記スプレーボタンが中〜高密度ポリエチレン又はポリオキシメチレンで構成されていること、
を特徴とする請求項１又は２に記載の洗浄スプレー。
【請求項４】
前記洗浄剤が界面活性剤、ｐＨ調整剤、香料及び緑茶抽出物を含むこと、
を特徴とする請求項１〜３のうちのいずれかに記載の洗浄スプレー。
【考案の詳細な説明】
【技術分野】
【０００１】
本考案は、特に排水パイプ内の洗浄に適した洗浄スプレーに関する。
【背景技術】
【０００２】
従来から、例えば流し台、洗面台及び浴槽等の排水パイプ内を洗浄する場合には、液体状洗浄剤、粉末状洗浄剤及び錠剤状洗浄剤等が用いられたり、ブラシを直接排水パイプ内に挿入したりすることが行われていた。
【０００３】
ところが、一般家庭をはじめとするほとんどの排水場所において採用されている排水パイプは、Ｓ字状やＵ字状の形状を有しており、液体状洗浄剤及び粉末状洗浄剤を用いても、これら液体状洗浄剤及び粉末状洗浄剤は排水パイプのターン部（溜水部分）までしか到達せず、更に奥の部分を洗浄することができない。
【０００４】
錠剤状洗浄剤を用いた場合も、当該錠剤状洗浄剤が上記ターン部（溜水部分）に滞留してしまい、ターン部（溜水部分）しか綺麗に洗浄できず、更に奥の部分を洗浄することができない。また、ブラシを用いた場合も同様にターン部（溜水部分）より奥の部分を洗浄することができず、かつ手間がかかるという問題があった。
【０００５】
このような問題を解決すべく、例えば特許文献１においては、スプレー本体に、チューブが装着可能なスプレーボタンを設け、スプレーボタンの噴射口にチューブを装着したチューブ装着式排水パイプ洗浄スプレーが提案されている。
【特許文献１】実用新案登録第３０７８７４１号公報
【考案の開示】
【考案が解決しようとする課題】
【０００６】
しかしながら、上記のチューブ装着式排水パイプ洗浄スプレーにおいては、チューブをスプレーボタンに装着し、スプレーボタンを押して洗浄剤をチューブ内に充填するとき、チューブがスプレーボタンから外れ、洗浄剤が周囲に飛び散ってしまうことがあった。
【０００７】
そこで、本考案の目的は、スプレーボタンに装着されたチューブ内に洗浄剤を充填しても、チューブがスプレーボタンから外れず、より確実にチューブの先端から洗浄剤を噴射することができるチューブ装着式の洗浄スプレーを提供することにある。
【課題を解決するための手段】
【０００８】
上記の課題を解決すべく、本考案は、
洗浄剤と、前記洗浄剤を含むスプレー本体と、スプレーノズルと、前記スプレーノズルを内蔵するスプレーボタンと、チューブと、を具備し、
前記スプレーノズルが、前記スプレーボタンにおいて前記スプレーボタンの押圧方向に略垂直な方向に窪んだ凹部を含み、
前記チューブが、前記凹部に装着・脱着可能に装着されており、
前記スプレーノズル及び前記チューブを経て前記洗浄剤を噴射すること、
を特徴とする洗浄スプレーを提供する。
【０００９】
このような構成によれば、チューブをスプレーボタンの凹部に確実に装着した状態で洗浄剤をチューブに充填することができ、このときチューブがスプレーボタンの凹部から外れにくく、より確実にチューブの先端から当該洗浄剤を噴射することができる。
【考案の効果】
【００１０】
本考案によれば、スプレーボタンに装着されたチューブ内に洗浄剤を充填しても、チューブがスプレーボタンから外れず、より確実にチューブの先端から洗浄剤を噴射可能なチューブ装着式排水パイプ洗浄スプレーを提供することができる。
【考案を実施するための最良の形態】
【００１１】
以下、図面を参照しながら本考案の好適な実施の形態について説明する。図１は、本考案に係る洗浄スプレーの好適な一実施の形態の構成を示す斜視図であり、図２は、図１に示す本考案に係る洗浄スプレーの使用方法を説明するための図である。
【００１２】
図１に示すように、本実施の形態に係る洗浄スプレー１は、洗浄剤を含むスプレー本体２と、スプレーノズル（図示せず）を内蔵するスプレーボタン４と、チューブ６と、を具備する。そして、スプレーノズルは、図示しないが、スプレー本体２からの洗浄剤を噴射できるようにスプレーボタン４内を貫通しており、スプレーボタン４の押圧方向（図１において矢印Ｘで示される方向）に延びる第一経路と、第一経路に連通し矢印Ｘで示される方向に略垂直な方向に延びる第二経路と、で構成される。そして、スプレーノズルは、第二経路の端部において、スプレーボタン４の押圧方向に略垂直な方向に窪んだ凹部４ａを有し、チューブ６が凹部４ａに装着・脱着可能に装着されている。
【００１３】
スプレー本体２に含まれる洗浄剤としては、スプレー（噴霧）可能な種々の洗浄剤を用いることができるが、なかでも洗浄効果が向上するという観点から、噴射した際に泡状になる洗浄剤を用いるのが好ましい。例えば界面活性剤、ｐＨ調整剤、香料及び緑茶抽出物を含む洗浄剤を、高圧ガス（ＬＰＧ）でスプレー本体２に充填するのが好ましい。
【００１４】
特に上記のような組成の洗浄剤を用いると、当該洗浄剤がチューブ６へ充填される時及びチューブ６からの噴射される時に泡状となって体積が膨張し、その圧力に起因してチューブ６が外れ易くなるが、上記のようにチューブ６を凹部４ａに確実に装着した状態で洗浄剤をチューブ６に充填したりチューブ６から噴射したりすることができるため、チューブ６が凹部４ａから外れにくく、チューブ６の先端から洗浄剤をより確実に噴射することができる。
【００１５】
ここで、図示しないが、チューブ６の外径と凹部４ａの内径とが略同一であるか、又はチューブ６の外径が凹部４ａの内径よりも大きいとことが好ましい。すなわち、チューブ６の外径をＲａとし、凹部４ａの内径をＲｂとした場合に、関係式：Ｒａ≧Ｒｂが成り立つのが好ましい。このような構成によれば、チューブ６を凹部４ａに装着した後、より外れにくくすることができる。なお、ＲａがＲｂより大きすぎるとチューブ６を凹部４ａに装着することができないため、装着可能な範囲で適宜コントロールする。
【００１６】
本考案の洗浄スプレー１において、スプレーボタン４及びチューブ６は熱可塑性樹脂等の従来公知の種々の材料で構成することができるが、なかでもスプレーボタン４を中〜高密度ポリエチレン又はポリオキシメチレンで形成し、チューブ６を低密度ポリエチレンで形成するのが好ましい。
【００１７】
中〜高密度ポリエチレンは、防湿性及び耐薬品性に優れ、結晶性が高いことから堅固な構造体を構成し得る。また、ポリオキシメチレンは、引張強さが大きく、耐疲労性、防湿性、耐薬品性及び耐候性に優れ、堅固な構造体を構成し得る。一方、低密度ポリエチレンは、防湿性及び耐薬品性に優れ、結晶性が低いことから柔らかく加工し易い。
【００１８】
したがって、上記のような構成によれば、相対的にチューブ６が柔らかくスプレーボタン４が硬いことになり、チューブ６に圧力をかけて若干縮めた状態でスプレーボタン４の凹部４ａに装着及び脱着することができ、材料及び形状に起因する復元力によってチューブ６は凹部４ａにより確実に固定される。
【００１９】
また、チューブ６の寸法や断面形状等については適宜調整することが可能である。ただし、一般家庭をはじめとするほとんどの排水場所において採用されているＳ字状やＵ字状の形状を有する排水パイプにおいて、ターン部（溜水部分）の奥までも確実に洗浄するという観点からは、例えば５０ｃｍ〜１００ｃｍ、好ましくは６０ｃｍ〜７０ｃｍの長さを有するのが好ましい。
【００２０】
もっとも、ユーザーが洗浄しようとする排水パイプの形状や寸法、及びターン部（溜水部分）までの距離等は多岐にわたるため、例えば約１００ｃｍの長いチューブ６としておき、洗浄時にユーザーがチューブ６を切断して用いるようにしてもよい。
【００２１】
上述のような本考案に係る洗浄スプレー１を使用する際には、図２に示すように、チューブ６の先端を、排水パイプ１０の排水口１０ａからターン部（溜水部分）１０ｂまで挿入し、スプレーボタン４を押す。すると、チューブ６が凹部４ａから外れることなく当該チューブ６の先端６ａから洗浄剤の泡が噴射される。
【００２２】
スプレーボタン４を押し続けると、排水パイプ１０において、ターン部（溜水部分）１０ｂに洗浄剤の泡が広がった後、ターン部（溜水部分）１０ｂの上部部分１０ｃ及び１０ｄに泡が充填される。
【００２３】
排水口１０ａまで泡が上がってきたところでスプレーボタン４を押すのを止め、排水パイプ１０内よりチューブ６を出す。このとき、泡は排水パイプ１０の奥の部分１０ｅにも到達している。この状態でしばらく放置しておき、排水パイプ内の汚れが落ちるのを待ち、最後に水で洗い流す。
【産業上の利用可能性】
【００２４】
本考案に係る洗浄スプレーによれば、スプレーボタンに装着されたチューブ内に洗浄剤を充填しても、チューブがスプレーボタンから外れず、より確実にチューブの先端から洗浄剤を噴射することができる。そのため、直線状、Ｓ字状及びＵ字状等のいずれの形状を有する排水パイプを洗浄する際にもターン部（溜水部分）の奥までも確実に洗浄することができる。
【００２５】
また、例えば流し台、洗面台及び浴槽等のいずれの排水パイプの洗浄にも好適に用いることができ、排水パイプ洗浄スプレー及び浴槽パイプ洗浄スプレー等として商品化することが可能である。
【図面の簡単な説明】
【００２６】
【図１】本考案の洗浄スプレーの好適な一実施の形態の構成を示す斜視図である。
【図２】図１に示す本考案の洗浄スプレーの使用方法を説明するための図である。
【符号の説明】
【００２７】
１・・・洗浄スプレー
２・・・本体スプレー
４・・・スプレーボタン
４ａ・・・凹部
６・・・チューブ
１０・・・排水パイプ
１０ａ・・・排水口
１０ｂ・・・ターン部（溜水部分）
【図１】
0003132780.tif 000003
【図２】
0003132780.tif 000004